(57)【特許請求の範囲】
【請求項１】
筒状をしてその側壁にアンテナを有する樋体と、
前記樋体に設けられ、前記アンテナが設けられた側の側壁から離れた領域を形成する仕切りとを備え、
前記仕切りにより形成された前記領域の上端には、雨水の流路が上下方向に連通し且つ下方ほど断面積が小さくなるよう形成された集水体の下端が嵌め込まれている
ことを特徴とするアンテナ付き竪樋。
【請求項２】
前記仕切りが、前記樋体の長手方向の略全長に亘って形成されたものである
ことを特徴とする請求項１記載のアンテナ付き竪樋。
【請求項３】
前記アンテナが、周方向の一部にスロットが位置するスロットアンテナであり、
前記仕切りが、前記スロットが位置する側の側壁から離れた位置に雨水を流すためのものである
ことを特徴とする請求項１又は請求項２のいずれかに記載のアンテナ付き竪樋。
【請求項４】
前記樋体に設けられた仕切りは、雨水を流すための流路の断面積が、当該樋体の上流側に接続される竪樋の断面積と略同じか、又はそれよりも大きくなるよう仕切るものである
ことを特徴とする請求項１乃至請求項３のいずれか一項に記載のアンテナ付き竪樋。
【発明の詳細な説明】
【技術分野】
【０００１】
本発明は、アンテナ付き竪樋に関する。
【背景技術】
【０００２】
従来、建物の外壁等に沿って配管された竪樋に、アンテナが取り付けられた構造が知られている（例えば特許文献１参照）。この竪樋に取り付けられるアンテナは、内部に流路を有する竪樋の側壁に、外側から挟み込むようにして取り付けられる。
【０００３】
ところで竪樋は、内部に流路が形成されているため、筒状に形成されている。通常、雨水は、竪樋の内部を流通する際、竪樋内部で外方向に広がりながら、当該竪樋の側壁を伝って流下する。このとき雨水は、竪樋の側壁を伝って流下するため、流量が多くなると、当該竪樋の側壁内面の周方向の略全長に亘って水の層を形成する。
【先行技術文献】
【特許文献】
【０００４】
【特許文献１】特開平０１−１６８１０１号公報
【発明の概要】
【発明が解決しようとする課題】
【０００５】
しかしながら、上記のようなアンテナが取り付けられた竪樋において、内側面の周方向の略全長に亘って水の層が形成されると、当該水の層がアンテナ性能に悪影響を及ぼすおそれがある。
【０００６】
本発明は、上記事情に鑑みてなされたものであり、その目的とするところは、内部を流通する雨水によって、アンテナ性能に悪影響を受けにくいアンテナ付き竪樋を提供することにある。
【課題を解決するための手段】
【０００７】
本発明のアンテナ付き竪樋は、筒状をしてその側壁にアンテナを有する樋体と、前記樋体に設けられ、前記アンテナが設けられた側の側壁から離れた領域を形成する仕切りとを備え、前記仕切りにより形成された前記領域の上端には、雨水の流路が上下方向に連通し且つ下方ほど断面積が小さくなるよう形成された集水体の下端が嵌め込まれていることを特徴とする。
【０００８】
またこのアンテナ付き竪樋において、前記仕切りが、前記樋体の長手方向の略全長に亘って形成されたものであることが好ましい。
【０００９】
またこのアンテナ付き竪樋において、前記アンテナが、周方向の一部にスロットが位置するスロットアンテナであり、前記仕切りが、前記スロットが位置する側の側壁から離れた位置に雨水を流すためのものであることが好ましい。
【００１０】
またこのアンテナ付き竪樋において、前記仕切りが、前記樋体内における前記スロットが位置する側とは反対側の側壁に雨水を流すためのものであることが好ましい。
【００１１】
またこのアンテナ付き竪樋において、前記樋体に設けられた仕切りは、雨水を流すための流路の断面積が、当該樋体の上流側に接続される竪樋の断面積と略同じか、又はそれよりも大きくなるよう仕切るものであることが好ましい。
【発明の効果】
【００１２】
本発明のアンテナ付き竪樋によれば、内部を流通する雨水によって、アンテナ性能に悪影響を受けにくいものとすることができる。
【図面の簡単な説明】
【００１３】
【図１】本発明の実施形態１の樋体の水平断面図である。
【図２】実施形態１のアンテナ付き竪樋の一部破断した斜視図である。
【図３】実施形態１のアンテナの斜視図である。
【図４】実施形態１のアンテナの斜視図である。
【図５】実施形態１の変形例の樋体の水平断面図である。
【図６】実施形態１のアンテナ付き竪樋の外筒部及びアンテナを省略し、樋体の側壁及び上接続部を想像線で示した斜視図である。
【図７】実施形態１のアンテナ付き竪樋を取り付けた状態の概略側面図である。
【図８】実施形態２のアンテナ付き竪樋の外筒体及びアンテナを省略し、樋体の側壁及び上接続部を想像線で示した斜視図である。
【図９】実施形態２のアンテナ付き竪樋の側断面図である。
【図１０】実施形態２のアンテナ付き竪樋の水平断面図である。
【図１１】実施形態３のアンテナ付き竪樋の水平断面図である。
【図１２】実施形態３の集水体近傍の概略側断面図である。
【図１３】実施形態４の集水体の側断面図である。
【図１４】実施形態４の集水体の斜視図である。
【図１５】（ａ）は実施形態５の集水体近傍の概略側断面図であり、（ｂ）は参考図を示している。
【発明を実施するための形態】
【００１４】
以下、本発明の実施形態について添付図面に基づいて説明する。
【００１５】
実施形態１のアンテナ付き竪樋は、図７に示されるように、建物の外壁に沿って配設された竪樋の上下方向の一部が取り除かれ、その取り除かれた部分に取り付けられるものである。なお以下、竪樋の一部を切除した後の上流側に位置する竪樋を「上流側の竪樋１１」といい、竪樋の一部を切除した後の下流側に位置する竪樋を「下流側の竪樋１２」という。
【００１６】
このアンテナ付き竪樋は、例えばテレビ側ケーブル１３に接続されることで、テレビ用のアンテナとして用いられる。本実施形態のアンテナ付き竪樋は、図６に示されるように、その側壁３２にアンテナ２を有する樋体３と、この樋体３内における水平断面の一部に雨水を流すための仕切り３１とを備えている。
【００１７】
アンテナ２は、樋体３の側壁３２に設けられている。アンテナ２は、樋体３の側壁３２に積層又は当該側壁３２の肉厚内に埋設されて取り付けられる。本実施形態のアンテナ２は、図２に示されるように、樋体３の側壁３２に沿うよう当該樋体３の側壁３２に外側から重ねられて、取付部材１４により固定される。アンテナ２は、導電性を有する金属板材２０（金属箔も含まれる）により構成されており、図３に示されるように、縦長矩形状の金属板材２０を短辺方向がＣ字状となるよう長辺方向に一様に湾曲させることで形成される。
【００１８】
アンテナ２は、上下方向に複数のスロット２１が形成されたスロットアンテナ２により構成されている。アンテナ２は、このスロット２１が上下方向に複数並設されており（本実施形態では２箇所）、隣接するスロット２１同士がスリット状の細溝２２で接続されている。アンテナ２は、各スロット２１が周方向の一部に位置している。各スロット２１は、金属板材２０の厚み方向に貫通する開口により構成されており、一対の三角形の頂点同士を互いに突き合わせたようなボウタイ形状に形成されている。各スロット２１は、上下方向の略中央部分に給電部２３を有している。本実施形態の給電部２３は、周方向に対向する三角状片２４の頂点部分により構成されている。
【００１９】
なお給電部２３には、同軸ケーブル（図示せず）が電気的に接続される。同軸ケーブルは、中央の線が一方の三角状片２４に接続され且つ外側の網線が他方の三角状片２４に接続される。同軸ケーブルは、アンテナ２により受信した電波を、室内側のテレビ等に送るための伝送路となる。
【００２０】
本実施形態のアンテナ２は、第一の周波数帯（例えば４７３〜６００ＭＨｚ）の電波を受信する第一の受信部２５と、第二の周波数帯（例えば６００〜７２０ＭＨｚ）の電波を受信する第二の受信部２６とを有している。
【００２１】
第一の受信部２５は、スロット２１及び当該スロット２１の開口周縁部により構成される。第二の受信部２６は、このスロット２１に上下方向に隣接する周方向に連続した金属板材２０により構成される。
【００２２】
第一の受信部２５を構成するスロット２１の上下方向の長さは、前記第一の周波数帯内の電波の電気的な半波長の長さに応じて決定される。また、第二の受信部２６の周方向の長さは、前記第二の周波数帯内の電波の電気的な半波長の長さに応じて決定される。
【００２３】
またアンテナ２は、図４に示されるように、周方向の両端間に、上下方向の全長に亘って隙間２７が形成される。この隙間２７は、スロット２１に対向する位置に設けられ、すなわちアンテナ２の円弧中心を挟んで、スロット２１とは対極の位置となるように形成される。
【００２４】
またアンテナ２は、スロット２１の背部に抜き部２８が形成されている。抜き部２８は、金属板材２０が存在しない部分であって、正面から見てスロット２１と重なる位置に設けられている。抜き部２８は、上下長さがスロット２１の上下長さよりも長く、且つ周方向長さがスロット２１の周方向長さよりも長く形成されている。
【００２５】
このような構成のアンテナ２は、図２に示されるように、湾曲して内向する裏面が、樋体３の側壁３２の外面に当接するようにして取り付けられる。アンテナ２は、取付部材１４により固定される。
【００２６】
樋体３は、筒状をしており、非導電性の合成樹脂材料により形成されている。本実施形態の樋体３は、円筒状の丸樋により構成されている。樋体３は、上方に開口する上開口（図示せず）と、下方に開口する下開口（図示せず）と、上開口及び下開口を連通する連通路３４（図１参照）とを備えている。この連通路３４には、当該連通路３４の水平断面の一部にのみ雨水を流すための仕切り３１が設けられている。
【００２７】
仕切り３１は、図１に示されるように、樋体３の連通路３４内を複数の領域に仕切るものである。仕切り３１は、樋体３の水平断面において、アンテナ２のスロット２１の直ぐ内側に位置する第１の領域３５と、アンテナ２のスロット２１から離れた箇所に位置する第２の領域３６とに、樋体３内部を区画する。第２の領域３６は、上流側の竪樋１１と下流側の竪樋１２とを連通する流通路を構成しており、雨水を上流側の竪樋１１から下流側の竪樋１２へと流通させる。
【００２８】
本実施形態の仕切り３１は、第１の仕切部３１０及び第２の仕切部３１１を有しており、断面Ｌ字状に形成されている。また仕切り３１は、図６に示されるように、樋体３の長手方向の略全長に亘って設けられている。本実施形態の仕切り３１は、図１に示されるように、樋体３の側壁３２の内面に連設されており、例えば押し出し成形により、樋体３に一体成形されている。本実施形態の仕切り３１は、アンテナ２の正面（スロット２１の周方向の中央）と樋体３の中心とを通る直線Ａ−Ａに対し、対称には配置されていない。本実施形態の仕切り３１は、アンテナ２の正面から周方向の細溝２２側にずれた位置と樋体３の中心とを通る直線Ｂ−Ｂに対し、対称となるよう配置されている。
【００２９】
したがって仕切り３１は、仮に、単一のスロット２１しか設けられておらず、細溝２２が設けられていないアンテナ２９が用いられる場合には、図５に示されるように、アンテナ２９の正面と樋体３の中心とを通る直線Ａ−Ａに対し、対称に配置される。
【００３０】
仕切り３１は、第２の領域３６の断面積が、上流側の竪樋１１の流路の断面積と略同じか、又はそれよりも大きくなるよう設けられている。通常、一般的な竪樋は外径がφ４５ｍｍ（内径がφ４２．７ｍｍ）であるから、その流路の断面積は約１４３２ｍｍ２である。そこで仕切り３１は、樋体３（内径φ８０ｍｍ）の中心をＸＹ座標の原点に位置させた場合に、Ｘ軸方向に−１０ｍｍ，Ｙ軸方向に−１０ｍｍそれぞれずれた位置に設けられる。これにより、仕切り３１に区画された図１中右上の第２の領域３６は、断面積が約２１４８ｍｍ２に形成され、竪樋の断面積よりも大きくなるよう形成されている。なお本実施形態の仕切り３１は、仕切り３１の頂点部分が、アンテナ２の正面から細溝２２側にずれた位置と樋体３の中心とを通る直線Ｂ−Ｂ上に位置するよう平行移動して配置箇所が決定される。
【００３１】
本実施形態の仕切り３１は、第１の領域３５を、アンテナ２のスロット２１の直ぐ内側の側壁３２の内面に面するよう形成すると共に、第２の領域３６を、スロット２１とは反対側に形成された隙間２７の直ぐ内側の側壁３２の内面に面するよう形成する。
【００３２】
本実施形態のアンテナ付き竪樋は、図６に示されるように、上流側の竪樋１１から流出した雨水を受ける集水体４を有している。この集水体４は、上流側の竪樋１１から流出した雨水を受けて、樋体３内の第２の領域３６に向けて集水するための部材である。集水体４は、上下方向に連通し且つ下方ほど断面積が小さくなるよう形成された集水部４１と、この集水部４１の下端の開口周縁から下方に向けて突設された下縁部４２とにより構成されている。集水体４は、集水部４１と下縁部４２とが、射出成形や注型成形などにより一体成形されている。
【００３３】
集水部４１は、流入側の開口の内径が上流側の竪樋１１の外径よりも大きく形成されており、これにより当該上流側の竪樋１１の下端に外嵌される。下縁部４２は、樋体３の第２の領域３６の上端の開口内に嵌め込まれるような大きさに形成されており、これにより第２の領域３６の上端の開口に内嵌される。
【００３４】
本実施形態のアンテナ付き竪樋は、樋体３の外側を覆うように当該樋体３と同心状に設けられた外筒部９を備えている。また本実施形態のアンテナ付き竪樋は、外筒部９の上端に設けられて上流側の竪樋１１に接続される上接続部６と、外筒部９の下端に設けられて下流側の竪樋１２に接続される下接続部７とをさらに備えている。
【００３５】
外筒部９は、上下方向に軸方向を有する円筒形状となっており、非導電性の合成樹脂材料により構成されている。外筒部９は、その内径が、樋体３の外径よりも大径に形成されており、樋体３及びアンテナ２の外側を覆うよう構成されている。
【００３６】
上接続部６は、外筒部９の上端と樋体３の上端とを相互に位置決めし、これにより両者を保持する。上接続部６は、上下方向に貫通する上貫通孔６１を備えている。上貫通孔６１は、その内径が、上流側の竪樋１１の外径よりも大きく形成されており、当該上流側の竪樋１１が遊びを持って挿入されるよう構成されている。上接続部６は、その内部に集水体４が配置されている。上接続部６は、上貫通孔６１が集水体４に連通接続されている。
【００３７】
また上接続部６は、図２に示されるように、アンテナ２に接続された同軸ケーブルに電気的に接続された接続具６２を備えている。接続具６２は、上接続部６から露出するよう設けられている。この接続具６２は、アンテナ２により受信した信号を、同軸ケーブルを介してテレビ側ケーブル１３に電気的に接続するために用いられる。
【００３８】
下接続部７は、外筒部９の下端と樋体３の下端とを相互に位置決めし、これにより両者を保持する。下接続部７は、その中央部分に、上下方向に貫通し且つ下流側の竪樋１２よりも小径に形成された下貫通孔７１が穿設されている。下接続部７は、下流側の竪樋１２の上端に載置されるよう構成されている。これによりアンテナ付き竪樋は、下流側の竪樋１２の上端に支持される。
【００３９】
以上のような構成の本実施形態のアンテナ付き竪樋は、図７に示されるように、建物の外壁に沿って設置された竪樋の一部として設置される。
【００４０】
外壁に沿って設置された竪樋は、軒樋１５の集水器１６に第１のエルボ１７と呼び樋１８を介して連通した第２のエルボ１９に連通接続されている。竪樋は、一部が切除されて、上流側の竪樋１１と、下流側の竪樋１２とに分離している。本実施形態のアンテナ付き竪樋は、上接続部６が上流側の竪樋１１の下端に連通接続され、下接続部７が下流側の竪樋１２の上端に連通接続される。なお、上流側の竪樋１１及び下流側の竪樋１２は、その端部が控え具８０により外壁に固定されている。また本実施形態のアンテナ付き竪樋は、非導電性樹脂により形成された控え具８１により固定されている。このように、設置後のアンテナ付き竪樋は、建物の外壁に沿って設置された竪樋の一部を構成する。
【００４１】
本実施形態のアンテナ付き竪樋を設置するには、施工者は、上接続部６の上貫通孔６１に上流側の竪樋１１の下端を挿入した上で、下接続部７を下流側の竪樋１２の上端に載置する。この後、アンテナ付き竪樋を樋体３の中心軸回りに回動して、アンテナ２が放送電波を最も強く受信できるような向きに配置する。この状態で、当該アンテナ付き竪樋を控え具８１により固定する。
【００４２】
なお本実施形態のアンテナ付き竪樋は、建物の壁面に沿って新たに竪樋を配設する場合はもちろんのこと、既に設置されている竪樋に対しても、簡単にアンテナ付き竪樋を設置することができる。
【００４３】
このような構造において、上流側の竪樋１１に雨水が流通すると、雨水は、上接続部６の上貫通孔６１を通過して集水体４に流下し、その後、樋体３内で仕切られた第２の領域３６内を流通する。次いで雨水は、第２の領域３６内を流下し、下接続部７の下貫通孔７１を通過して下流側の竪樋１２に流入する。
【００４４】
このとき、アンテナ２のスロット２１の直ぐ内側に位置する樋体３内の第１の領域３５内には、雨水が流通しないため、アンテナ２のスロット２１の直ぐ内側の側壁３２の内面に水の層が形成されない。これにより、竪樋として内部に雨水を流下させるものであっても、アンテナ性能への悪影響を低減させることができる。
【００４５】
ところで、実施形態１において、仮に樋体３内に仕切り３１が設けられていない場合、当該樋体３内を流通する雨水は、樋体３の側壁３２の内面を伝って流下する。特に本実施形態のように樋体３が丸樋の場合、雨水は、軒樋１５に接続された集水器１６を通過することで、樋体３の側壁３２の内面を螺旋状に伝って流れ落ちる。このため雨水は、流量が多い場合、樋体３が丸樋であっても角樋であっても、側壁３２の内面の略全周に亘って水の層を形成する。この水の層はアンテナ２のスロット２１を樋体３内から覆ってしまう。
【００４６】
ここで本実施形態のアンテナ２は、スロット２１の存在により電波を受信するものであり、具体的に、金属板材２０を貫通する開口と、この開口周縁部とを利用して電波を受信する。また空気の比誘電率がおよそ１であるのに対し、水の比誘電率はおよそ８０である。このため、仮にスロット２１が雨水の層に覆われると、樋体３の側壁３２を介しているとはいえ、受信性能である利得が減衰してしまう。
【００４７】
この点、本実施形態のアンテナ付き竪樋は、樋体３内の一部に雨水を流すための仕切り３１を有しているため、アンテナ２のスロット２１の直ぐ内側に位置する樋体３の側壁３２の内面には、雨水が伝って流下しないようにすることができる。これにより、樋体３内を流通した雨水の排水を確保しながら、アンテナ性能への悪影響を極力防ぐことができる。
【００４８】
しかも本実施形態のアンテナ付き竪樋は、仕切り３１により区画され且つ雨水が流下する第２の領域３６の断面積が、上流側の竪樋１１の断面積と略同じか又はそれよりも大きくなるよう形成されている。このため本実施形態のアンテナ付き竪樋は、樋体３内の一部にのみ雨水が流通する構造であっても、上流側の竪樋１１から流下する雨水の排水性能が低下するのを防ぐことができる。
【００４９】
また本実施形態のアンテナ付き竪樋は、仕切り３１が、樋体３の長手方向の略全長に亘って設けられたものであるため、長手方向の全長に亘って、雨水をアンテナ２のスロット２１が位置する側から離れた位置に流すことができる。
【００５０】
次に、実施形態２について図８〜１０に基づいて説明する。なお、本実施形態は実施形態１と大部分において同じであるため、同じ部分においては同符号を付して説明を省略し、主に異なる部分について説明する。
【００５１】
実施形態２のアンテナ付き竪樋は、実施形態１と同様、側壁３２にアンテナ２を有する筒状の樋体３と、この樋体３内に設けられて当該樋体３内の一部に雨水を流すための仕切り３１とを備えている。実施形態２のアンテナ付き竪樋は、仕切り３１の構造と、集水体４の構造とが実施形態１のものとは異なっており、その他の構造は同じである。
【００５２】
本実施形態の仕切り３１は、樋体３内に配置された内筒体３７により構成されている。この内筒体３７は、断面楕円形状に形成されており、樋体３の長手方向の略全長に亘って形成されている。内筒体３７は、上下方向に開口する筒状に形成されており、その内部に雨水の流通する流通路を有している。内筒体３７は、図９に示されるように、上方の開口が上接続部６の上貫通孔６１に連通し、下方の開口が下接続部７の下貫通孔７１に連通する。
【００５３】
内筒体３７は、図１０に示されるように、樋体３内において、アンテナ２のスロット２１が位置する側とは反対側に片寄って設けられている。具体的には、アンテナ２の正面（スロット２１の周方向の中央Ｃ）と対極に位置する樋体３の側壁３２に、内筒体３７の長軸と当該内筒体３７の側壁との交点部分が当接または近接対向するよう当該内筒体３７が配置されている。内筒体３７は、図９に示されるように、その上端が、集水体４を介して上接続部６に固定され、その下端が、下接続部７に固定されている。
【００５４】
内筒体３７は、その断面積が、上流側の竪樋１１の流路の断面積と略同じか、又はそれよりも大きくなるよう設けられている。通常、一般的な竪樋は外径がφ４５ｍｍ（内径がφ４２．７ｍｍ）であるから、その流路の断面積は約１４３２ｍｍ２である。そこで本実施形態の内筒体３７は、長軸方向の内寸が５４．４ｍｍ，短軸方向の内寸が３０ｍｍとなるよう形成され、流通路の断面積が１４３８ｍｍ２に形成されている。これにより本実施形態では、内筒体３７の流通路の断面積が、上流側の竪樋１１の流路の断面積と略同じになるよう形成されている。
【００５５】
本実施形態の集水体４４は、実施形態１と同様、上流側の竪樋１１から流出した雨水を受け、その雨水を内筒体３７に向けて集水するための部材である。集水体４は、上下方向に連通し且つ下方ほど断面積が小さくなるよう形成された集水部４５と、この集水部４５の下端の開口周縁から下方に向けて突設された下縁部４６とにより構成されている。集水体４４は、集水部４５と下縁部４６とが、射出成形や注型成形などにより一体成形されている。
【００５６】
集水部４５は、流入側の開口の内径が上流側の竪樋１１の外径よりも大きく形成されており、これにより当該上流側の竪樋１１の下端に外嵌される。下縁部４６は、内筒体３７の上端の開口内に嵌め込まれるような形状となっており、これにより内筒体３７の上端の開口に内嵌される。
【００５７】
このような構成のアンテナ付き竪樋は、雨水が流下する内筒体３７が、アンテナ２のスロット２１とは離れた位置に片寄って配設されている。つまり仕切り３１となる内筒体３７により、樋体３内は、雨水が流通しない第１の領域３５と、流通路となる第２の領域３６とに仕切られているうえ、第１の領域３５が、アンテナ２のスロット２１と第２の領域３６との間に介在する。このため、流下する雨水をアンテナ２のスロット２１から一定距離以上離すことができる。
【００５８】
これにより、雨水の排水に起因するアンテナ性能への悪影響を低減させることができる。しかも内筒体３７は、水平断面が楕円形状に形成されており、その断面積が、上流側の竪樋１１の断面積と略同じか又はそれよりも大きく形成されているため、排水性能を十分に確保することができる。つまり本実施形態のアンテナ付き竪樋も、実施形態１と同様に、排水性能を確保しながら、アンテナ性能に悪影響を与えることを防ぐことができる。
【００５９】
次に、実施形態３について図１１，１２に基づいて説明する。なお、本実施形態は実施形態１と大部分において同じであるため、同じ部分においては同符号を付して説明を省略し、主に異なる部分について説明する。
【００６０】
実施形態３のアンテナ付き竪樋は、実施形態１と同様、側壁３２にアンテナ２を有する筒状の樋体３と、この樋体３内に設けられて当該樋体３内の一部に雨水を流すための仕切り３１とを備えている。実施形態３のアンテナ付き竪樋は、仕切り３１の構造と、集水体４の構造とが実施形態１のものとは異なっており、その他の構造は同じである。
【００６１】
本実施形態の仕切り３１は、樋体３内の断面略中央に配置された内筒部３８により構成されている。この内筒部３８は、断面円形状に形成されており、樋体３の長手方向の略全長に亘って形成されている。内筒部３８は、上下方向に開口する筒状に形成されており、その内部に、雨水の流通する流通路を有している。内筒部３８は、上方の開口が上接続部６の上貫通孔６１に連通し、下方の開口が下接続部７の下貫通孔７１に連通している。内筒部３８は、その上端が、集水体５０を介して上接続部６に固定され、その下端が下接続部７に固定されている。
【００６２】
内筒部３８は、図１１に示されるように、樋体３と同心状に設けられている。内筒部３８は、流通路の断面積が、上流側の竪樋１１の流路の断面積と略同じか、又はそれよりも大きくなるよう設けられている。通常、一般的な竪樋は外径がφ４５ｍｍ（内径がφ４２．７ｍｍ）である。そこで本実施形態の内筒部３８は、その外径がφ４５ｍｍ（内径がφ４２．７ｍｍ）のパイプにより構成されている。これにより本実施形態では、内筒部３８の流通路の断面積が、上流側の竪樋１１の流路の断面積と略同じになるよう形成されている。
【００６３】
本実施形態の集水体５０は、実施形態１と同様、上流側の竪樋１１から流出した雨水を受け、その雨水を内筒部３８の流通路に向けて集水するための部材である。集水体５０は、図１２に示されるように、上下方向に連通し且つ下方ほど断面積が小さくなるよう形成された集水部５１と、この集水部５１の下端の開口周縁から下方に向けて突設された下縁部５２とにより構成されている。なお本実施形態の集水部５１は、流入側の開口の中心と流出側の開口の中心とが平面視で一致している。
【００６４】
集水部５１は、流入側の開口の内径が上流側の竪樋１１の外径よりも大きく形成されており、これにより当該上流側の竪樋１１の下端に外嵌される。下縁部５２は、内筒部３８の上端の開口内に嵌め込まれるような形状となっており、これにより内筒部３８の上端の開口に内嵌される。
【００６５】
集水部５１は、その側壁が下方ほど小径となるよう漸次傾斜している。本実施形態の集水部５１は、同一平面上に位置する対向する側壁同士のなす角度が、約２３°となるよう形成され、集水部５１の下端部（下縁部の５２上端）が当該集水部の上端から約１４０ｍｍ下方に位置するよう形成されている。
【００６６】
このような構成のアンテナ付き竪樋は、雨水の流下する内筒部３８が、樋体３の側壁３２と一定距離離間して設けられている。つまり仕切り３１となる内筒部３８により、樋体３内は、雨水の流通しない第１の領域３５と、流通路となる第２の領域３６とに仕切られているうえ、第１の領域３５が第２の領域３６の外周部分を覆うよう配置される。このため、流下する雨水をアンテナ２から一定距離以上離すことができる。
【００６７】
これにより、雨水の排水に起因するアンテナ性能への悪影響を低減させることができる。しかも内筒部３８は、その流通路の断面積が、上流側の竪樋１１の流路の断面積と略同じか又はそれよりも大きく形成されているため、排水性能を十分に確保することができる。つまり本実施形態のアンテナ付き竪樋も、排水性能を確保しながら、アンテナ性能に悪影響を与えることを防ぐことができる。
【００６８】
次に、実施形態４について図１３，１４に基づいて説明する。なお、本実施形態は実施形態１と大部分において同じであるため、同じ部分においては同符号を付して説明を省略し、主に異なる部分について説明する。
【００６９】
実施形態４のアンテナ付き竪樋は、実施形態１と同様、側壁３２にアンテナ２を有する筒状の樋体３と、この樋体３内に設けられて当該樋体３内の一部に雨水を流すための仕切り３１とを備えている。実施形態４のアンテナ付き竪樋は、集水体５４が実施形態１のものとは異なっており、その他の構造は同じである。
【００７０】
本実施形態の集水体５４は、図１４に示されるように、上下方向に連通し且つ下方ほど断面積が小さくなるよう形成された集水部５５と、この集水部５５の下端の開口周縁から下方に向けて突設された下縁部５６とにより構成されている。本実施形態の集水部５５には、アンテナ２のスロット２１が位置する側とは反対側に雨水を集水するための段差部５８が設けられている。
【００７１】
段差部５８は、集水体５４の集水部５５の側壁に設けられている。段差部５８は、雨水を伝わせて流下させる流水面５８０を有している。段差部５８は、その上端から下端に亘って連続して設けられており、下方ほどアンテナ２のスロット２１とは反対側に位置するよう傾斜している。段差部５８は、集水部５５の側壁を伝って流下する雨水を、流水面５８０上を伝わせて流下させ、アンテナ２のスロット２１とは反対側の樋体３の側壁３２に向けて流下させる。
【００７２】
本実施形態のアンテナ付き竪樋は、集水体５４の下縁部５６が、樋体３内の仕切り３１により形成された第２の領域３６の上方の開口に連通接続されている。これにより、段差部５８を流下した雨水を、樋体３内の第２の領域３６内に流入させることができるだけでなく、第２の領域３６内におけるアンテナ２のスロット２１とは離れた側の側壁３２に雨水を流下させることができる。
【００７３】
このように本実施形態のアンテナ付き竪樋は、集水体５４が、アンテナ２のスロット２１とは反対側の樋体３の側壁３２に雨水を流下させる段差部５８を有しているため、スロット２１とは離れた位置に雨水を流下させることができる。これにより、雨水の排水に起因するアンテナ性能への悪影響を低減させることができる。
【００７４】
なお、本実施形態の集水体５４は、実施形態２の内筒体３７、又は実施形態３の内筒部３８に対しても適用可能である。
【００７５】
次に、実施形態５について図１５に基づいて説明する。なお、本実施形態は実施形態３と大部分において同じであるため、同じ部分においては同符号を付して説明を省略し、主に異なる部分について説明する。
【００７６】
実施形態５のアンテナ付き竪樋は、実施形態３と同様、側壁３２にアンテナ２を有する筒状の樋体３と、この樋体３内に設けられて当該樋体３内の一部に雨水を流すための仕切り３１としての内筒部３８とを備えている。実施形態５のアンテナ付き竪樋は、集水体５０の取付位置が実施形態３とは異なっており、その他の構造は同じである。
【００７７】
本実施形態の集水体５０は、実施形態３のものと同じ構造となっている。本実施形態の集水体５０は、集水部５１がアンテナ２よりも上方に設けられている。すなわち集水体５０は、集水部５１の下端がアンテナ２の上端と略同じ位置か又はそれよりも上方に位置するよう配置されている。なお図１５中の二重ハッチング部分は、アンテナ２の存在する領域を示している。
【００７８】
ここで、集水部５１は、内筒部３８よりも大径に形成されているうえに上方ほど大径となり、その外径が樋体３と略同じ外径に形成されている。このため、図１５（ｂ）のように、集水部５１が樋体３の上端部に単に配置されただけであると、集水部５１を流下する雨水がアンテナ２上端と近接してしまうことも考えられる。
【００７９】
この点、本実施形態のアンテナ付き竪樋は、集水部５１がアンテナ２よりも上方に位置し、側方から見てアンテナ２とは重ならない構造となっているため、アンテナ２の上端部と雨水とが近接してしまうのを防ぐことができる。これにより本実施形態のアンテナ付き竪樋によれば、確実に雨水とアンテナ２とを一定距離以上離すことができ、アンテナ性能に悪影響を与えてしまうのを防ぐことができる。
【００８０】
なお、本実施形態のように集水体５０の径の大きくなった一部を、アンテナに重ならないよう配置する点は、実施形態１〜４のアンテナ付き竪樋に適用することも可能である。
【００８１】
以上、本発明のアンテナ付き竪樋を実施形態１〜５に基づいて説明した。実施形態１〜５のアンテナ付き竪樋は、外筒部９や上接続部６や下接続部７が設けられていたが、本発明のアンテナ付き竪樋においては、外筒部９や上接続部６や下接続部７が設けられていなくてもよい。
【００８２】
また実施形態１〜５のアンテナ付き竪樋は、アンテナ２がスロットアンテナ２により構成されていたが、本発明においてアンテナ２は、スロットアンテナ２に限定されない。
【符号の説明】
【００８３】
１１    上流側の竪樋
１２    下流側の竪樋
２      アンテナ
２０    金属板材
２１    スロット
２２    細溝
２５    第一の受信部
２６    第二の受信部
３      樋体
３１    仕切り
３２    側壁
３５    第１の領域
３６    第２の領域
４      集水体
６      上接続部
６１    上貫通孔
７      下接続部
７１    下貫通孔
９      外筒部
【図１】
0005903615.tif 000002
【図２】
0005903615.tif 000003
【図３】
0005903615.tif 000004
【図４】
0005903615.tif 000005
【図５】
0005903615.tif 000006
【図６】
0005903615.tif 000007
【図７】
0005903615.tif 000008
【図８】
0005903615.tif 000009
【図９】
0005903615.tif 000010
【図１０】
0005903615.tif 000011
【図１１】
0005903615.tif 000012
【図１２】
0005903615.tif 000013
【図１３】
0005903615.tif 000014
【図１４】
0005903615.tif 000015
【図１５】
0005903615.tif 000016